(57)【要約】【課題】長寿命化を図ることができるヒータを提供することである。【解決手段】実施形態に係るヒータは、筒状部と；前記筒状部の両側の端部のそれぞれに設けられた封止部と；それぞれの前記封止部の内部に設けられた導電部と；前記筒状部の内部に設けられ、前記筒状部の管軸に沿って延び、炭素を含む発熱部と；それぞれの前記封止部において、一方の端部側が前記導電部と接続され、他方の端部側が前記筒状部の内部に露出するインナーリードと；前記筒状部の内部であって、前記発熱部の両側の端部のそれぞれに接続された接続部と；を具備している。それぞれの前記インナーリードの、前記導電部側とは反対側の端部には屈曲部が設けられている。前記屈曲部は、前記封止部同士が対峙する方向と交差する方向に屈曲し、前記接続部が有する孔の内部に設けられている。【選択図】図５
2020191164.tif 000002
【特許請求の範囲】
【請求項１】
筒状部と；
前記筒状部の両側の端部のそれぞれに設けられた封止部と；
それぞれの前記封止部の内部に設けられた導電部と；
前記筒状部の内部に設けられ、前記筒状部の管軸に沿って延び、炭素を含む発熱部と；
それぞれの前記封止部において、一方の端部側が前記導電部と接続され、他方の端部側が前記筒状部の内部に露出するインナーリードと；
前記筒状部の内部であって、前記発熱部の両側の端部のそれぞれに接続された接続部と；
を具備し、
それぞれの前記インナーリードの、前記導電部側とは反対側の端部には屈曲部が設けられ、
前記屈曲部は、前記封止部同士が対峙する方向と交差する方向に屈曲し、前記接続部が有する孔の内部に設けられているヒータ。
【請求項２】
前記接続部は、溝をさらに有し、
前記溝の一方の端部は、前記孔に接続され、
前記溝の他方の端部は、前記接続部の、前記導電部側の端面に開口し、
前記溝の両側の側面の少なくともいずれかは、前記インナーリードに接触している請求項１記載のヒータ。
【請求項３】
前記インナーリードの、前記導電部側とは反対側の端部の近傍は、前記接続部に溶接されている請求項１または２に記載のヒータ。
【請求項４】
それぞれの前記封止部において、一方の端部側が前記導電部と接続され、他方の端部側が前記封止部から露出するアウターリードをさらに備えた請求項１〜３のいずれか１つに記載のヒータ。
【発明の詳細な説明】
【技術分野】
【０００１】
本発明の実施形態は、ヒータに関する。
【背景技術】
【０００２】
輻射熱により対象物を加熱するヒータがある。この様なヒータは、バルブ、バルブの内部に設けられた発熱部、バルブの両側の端部に設けられた封止部、封止部の内部に設けられた薄膜状の導電部、および、アウターリードなどを備えている。アウターリードの一端は封止部の内部において導電部と電気的に接続され、他端は封止部から露出している。
【０００３】
ここで、発熱部の材料が変われば、放射される光のスペクトルが変化する。例えば、炭素を含む発熱部を備えたカーボンヒータの場合には、２μｍから４μｍの波長において、放射される光のエネルギーにピークが生じる。水の吸収スペクトルのピークは３μｍ付近にあるため、カーボンヒータを用いれば含水率の高い対象物を効率よく加熱することができる。しかしながら、炭素を含む発熱部は、導電部に直接接続することが難しい。そのため、カーボンヒータの場合には、発熱部の端部に電気的に接続された接続部と、一端が接続部と電気的に接続され、他端が導電部と電気的に接続されたインナーリードと、が設けられる場合がある。
【０００４】
また、近年においては、より高電力のヒータが求められている。そのため、接続部およびインナーリードの温度が高くなる傾向にある。一般的に、接続部とインナーリードは溶接により接続されているが、溶接部分の温度が高くなると溶接部分にクラックなどが発生し易くなる。溶接部分にクラックなどが発生すると、インナーリードが接続部から外れる場合がある。そのため、ヒータの寿命が短くなるおそれがある。  
そこで、長寿命化を図ることができるヒータの開発が望まれていた。
【先行技術文献】
【特許文献】
【０００５】
【特許文献１】特開２００６−２８６３７２号公報
【発明の概要】
【発明が解決しようとする課題】
【０００６】
本発明が解決しようとする課題は、長寿命化を図ることができるヒータを提供することである。
【課題を解決するための手段】
【０００７】
実施形態に係るヒータは、筒状部と；前記筒状部の両側の端部のそれぞれに設けられた封止部と；それぞれの前記封止部の内部に設けられた導電部と；前記筒状部の内部に設けられ、前記筒状部の管軸に沿って延び、炭素を含む発熱部と；それぞれの前記封止部において、一方の端部側が前記導電部と接続され、他方の端部側が前記筒状部の内部に露出するインナーリードと；前記筒状部の内部であって、前記発熱部の両側の端部のそれぞれに接続された接続部と；を具備している。それぞれの前記インナーリードの、前記導電部側とは反対側の端部には屈曲部が設けられている。前記屈曲部は、前記封止部同士が対峙する方向と交差する方向に屈曲し、前記接続部が有する孔の内部に設けられている。
【発明の効果】
【０００８】
本発明の実施形態によれば、長寿命化を図ることができるヒータを提供することができる。
【図面の簡単な説明】
【０００９】
【図１】本実施の形態に係るヒータを例示するための模式図である。
【図２】（ａ）は、比較例に係る接続部の模式展開図である。（ｂ）は、インナーリードおよび発熱部を接続する前の接続部を例示するための模式平面図である。（ｃ）、（ｄ）は、インナーリードおよび発熱部を接続する前の接続部を例示するための模式側面図である。
【図３】（ａ）は、比較例に係る接続部と比較例に係るインナーリードとの接続を例示するための模式平面図である。（ｂ）は、比較例に係る接続部と比較例に係るインナーリードとの接続を例示するための模式側面図である。
【図４】（ａ）は、本実施の形態に係る接続部の模式展開図である。（ｂ）は、インナーリードおよび発熱部を接続する前の接続部を例示するための模式平面図である。（ｃ）、（ｄ）は、インナーリードおよび発熱部を接続する前の接続部を例示するための模式側面図である。
【図５】（ａ）は、本実施の形態に係る接続部と本実施の形態に係るインナーリードとの接続を例示するための模式平面図である。（ｂ）は、本実施の形態に係る接続部と本実施の形態に係るインナーリードとの接続を例示するための模式側面図である。
【図６】（ａ）は、他の実施形態に係る接続部の模式展開図である。（ｂ）は、インナーリードおよび発熱部を接続する前の接続部を例示するための模式平面図である。（ｃ）、（ｄ）は、インナーリードおよび発熱部を接続する前の接続部を例示するための模式側面図である。
【発明を実施するための形態】
【００１０】
以下、図面を参照しつつ、実施の形態について例示をする。なお、各図面中、同様の構成要素には同一の符号を付して詳細な説明は適宜省略する。  
本実施の形態に係るヒータ１は、対象物や、対象物が置かれている空間を加熱するものとすることができる。例えば、ヒータ１は、印刷物などの乾燥工程においてインクなどを乾燥させたり、塗料の乾燥工程において塗料などを乾燥させたりする際に用いることができる。ただし、本実施の形態に係るヒータ１の用途はこれらに限定されるわけではない。
【００１１】
図１は、本実施の形態に係るヒータ１を例示するための模式図である。  
図１に示すように、ヒータ１には、バルブ１０、発熱部２０、導電部３０、アウターリード４０、インナーリード５０、および接続部６０を設けることができる。
【００１２】
バルブ１０は、筒状部１１、封止部１２、および突起部１３を有することができる。バルブ１０は、筒状部１１、封止部１２、および突起部１３が一体に形成されたものとすることができる。バルブ１０は、例えば、石英ガラスから形成することができる。この場合、バルブ１０は、例えば、透明、すなわち着色されていない石英ガラスから形成することができる。なお、バルブ１０は、着色されていない石英ガラスから形成することもできるし、着色されている石英ガラスから形成することもできる。
【００１３】
筒状部１１は、例えば、円筒状を呈するものとすることができる。筒状部１１は、筒状部１１の外径である管外径Ｄに比べて全長Ｌ（管軸方向の長さ）が長い形態を有することができる。この場合、筒状部１１の内壁の管壁負荷が高くなり過ぎると、筒状部１１の温度が高くなり過ぎて、筒状部１１が変形したり、筒状部１１の耐久性が低下したりするおそれがある。そのため、ヒータ１の電力に応じて、所定の管壁負荷を超えないように、筒状部１１の管外径Ｄ、および全長Ｌを適宜決定することができる。
【００１４】
また、筒状部１１の外周面に反射膜を設けることもできる。反射膜が設けられていれば、対象物が置かれている方向に向けて赤外線を含む光を反射させることができる。そのため、照射効率を向上させることができる。反射膜は、例えば、金、酸化アルミニウムなどを含むものとすることができる。
【００１５】
筒状部１１の内部空間には、ガスを封入することができる。ガスは、発熱部２０において発生した熱が筒状部１１に伝わり難くするために封入することができる。そのため、ガスは、熱伝導率の低いガスとすることが好ましい。ガスは、例えば、アルゴン（Ａｒ）、キセノン（Ｘｅ）、クリプトン（Ｋｒ）、ネオン（Ｎｅ）などのうちの１種類、あるいは複数種類を組み合わせた混合ガスなどとすることができる。
【００１６】
筒状部１１の内部空間の２５℃におけるガスの圧力（封入圧力）は、例えば、０．６ｂａｒ（６０ｋＰａ）から０．９ｂａｒ（９０ｋＰａ）までの圧力範囲とすることができる。ここで、筒状部１１の内部空間の２５℃におけるガスの圧力（封入圧力）は、気体の標準状態（ＳＡＴＰ（Standard Ambient Temperature and Pressure）：温度２５℃、１ｂａｒ）により求めることができる。
【００１７】
封止部１２は、筒状部１１の、管軸方向における両側の端部のそれぞれに設けることができる。筒状部１１の両端に封止部１２を設けることで、筒状部１１の内部空間を気密に封止することができる。例えば、一対の封止部１２は、加熱した筒状部１１の両端部分を押しつぶすことで形成することができる。例えば、一対の封止部１２は、ピンチシール法やシュリンクシール法を用いて形成することができる。ピンチシール法を用いて封止部１２を形成すれば、図１に例示をしたような板状の封止部１２を形成することができる。シュリンクシール法を用いて封止部１２を形成すれば、円柱状の封止部１２を形成することができる。
【００１８】
突起部１３は、筒状部１１の外面に設けることができる。突起部１３は、ヒータ１を製造する際に、筒状部１１の内部空間を排気したり、筒状部１１の内部空間に前述したガスを導入したりするために設けることができる。突起部１３は、排気およびガスの導入後に、石英ガラスから形成された管を焼き切ることで形成されたものとすることができる。
【００１９】
発熱部２０は、炭素を含むものとすることができる。発熱部２０は、例えば、螺旋状を呈するものとすることができる。発熱部２０は、例えば、炭素を含む帯状のメッシュ構造体や炭素繊維を含む線状体を螺旋状に巻くことで形成することができる。発熱部２０の概観形状は、例えば、円筒状とすることができる。発熱部２０は、筒状部１１の内部空間に設けることができる。発熱部２０は、筒状部１１の中央領域を筒状部１１の管軸に沿って延びるものとすることができる。発熱部２０は、通電時に発熱するとともに赤外線を含む光を放出することができる。なお、発熱部２０は、例えば、炭素繊維を含む筒状のメッシュ構造体、炭素を含む帯状体、炭素を含む線状体などであってもよい。図１に例示をした発熱部２０は、炭素繊維を含む帯状のメッシュ構造体を螺旋状に巻いたものである。
【００２０】
発熱部２０の両側の端部は、筒状部１１の管軸に沿って延びるものとすることができる。発熱部２０の両側の端部のそれぞれは、筒状部１１の内部空間において接続部６０に接続されている。また、発熱部２０の両側の端部が接続部６０に接続された際に、発熱部２０が引っ張られるようにすることができる。この様にすれば、発熱部２０が筒状部１１の内壁に接触するのを抑制することができる。
【００２１】
導電部３０は、１つの封止部１２に対して１つ設けることができる。導電部３０は、封止部１２の内部に設けることができる。導電部３０の平面形状は四角形とすることができる。導電部３０は、薄膜状を呈するものとすることができる。導電部３０は、例えば、モリブデン箔から形成することができる。
【００２２】
アウターリード４０は、１つの導電部３０に対して少なくとも１つ設けることができる。図１に例示をしたアウターリード４０は、１つの導電部３０に対して１つ設けられている。アウターリード４０は、線状を呈するものとすることができる。それぞれの封止部１２において、アウターリード４０の一方の端部側は封止部１２の内部に設けられ、他方の端部側は封止部１２から露出することができる。アウターリード４０は、例えば、モリブデンなどを含むものとすることができる。アウターリード４０は、封止部１２の内部において、導電部３０と接続されている。例えば、アウターリード４０は、導電部３０にレーザ溶接または抵抗溶接することができる。
【００２３】
アウターリード４０には、ヒータ１の外部に設けられた電源などを電気的に接続することができる。例えば、アウターリード４０はコネクタやハーネスなどに接続され、コネクタやハーネスなどに設けられているケーブルを介して、アウターリード４０が電源などと電気的に接続されるようにすることができる。
【００２４】
発熱部２０が炭素を含むものである場合には、２μｍから４μｍの波長において、放射される光のエネルギーにピークが生じる。水の吸収スペクトルのピークは３μｍ付近にあるため、炭素を含む発熱部２０を用いれば含水率の高い対象物を効率よく加熱することができる。しかしながら、炭素を含む発熱部２０の場合には、発熱部２０を導電部３０に直接接続することが難しい。そのため、ヒータ１にはインナーリード５０と接続部６０が設けられている。
【００２５】
インナーリード５０は、１つの導電部３０に対して少なくとも１つ設けることができる。図１に例示をしたインナーリード５０は、１つの導電部３０に対して１つ設けられている。インナーリード５０は、導電部３０の、アウターリード４０側とは反対側に設けることができる。インナーリード５０は、線状を呈するものとすることができる。それぞれの封止部１２において、インナーリード５０の一方の端部側は封止部１２の内部に設けられ、他方の端部側は筒状部１１の内部に露出させることができる。
【００２６】
また、インナーリード５０の、導電部３０側とは反対側の端部には屈曲部５０ａを設けることができる（図５（ｂ）を参照）。屈曲部５０ａは、封止部１２同士が対峙する方向と交差する方向に屈曲したものとすることができる。屈曲部５０ａは、例えば、線状を呈するインナーリード５０の端部の近傍を折り曲げることで形成することができる。なお、屈曲部５０ａの作用に関する詳細は後述する。
【００２７】
インナーリード５０は、例えば、モリブデンなどを含むものとすることができる。インナーリード５０は、封止部１２の内部において、導電部３０と接続されている。例えば、インナーリード５０は、導電部３０にレーザ溶接または抵抗溶接することができる。
【００２８】
接続部６０は、筒状部１１の内部空間に設けることができる。接続部６０は、発熱部２０の両側の端部にそれぞれ１つずつ接続することができる。すなわち、接続部６０は、発熱部２０と、インナーリード５０とに接続されている。なお、接続部６０と発熱部２０の接続、および、接続部６０とインナーリード５０の接続に関する詳細は後述する。
【００２９】
接続部６０は、耐熱性と導電性を有する材料から形成することができる。接続部６０は、例えば、ニッケルやニッケル合金などの金属を含むものとすることができる。
【００３０】
図２（ａ）は、比較例に係る接続部１６０の模式展開図である。  
図２（ｂ）は、インナーリード１５０および発熱部２０を接続する前の接続部１６０を例示するための模式平面図である。  
図２（ｃ）、（ｄ）は、インナーリード１５０および発熱部２０を接続する前の接続部１６０を例示するための模式側面図である。  
図３（ａ）は、比較例に係る接続部１６０と比較例に係るインナーリード１５０との接続を例示するための模式平面図である。  
図３（ｂ）は、比較例に係る接続部１６０と比較例に係るインナーリード１５０との接続を例示するための模式側面図である。
【００３１】
図２（ａ）に示すように、接続部１６０は、基部１６０ａおよび保持部１６０ｂ〜１６０ｆを有している。  
接続部１６０に、インナーリード１５０および発熱部２０を接続する際には、まず、図２（ｂ）〜（ｄ）に示すように、基部１６０ａの面に対して同じ方向に保持部１６０ｂ〜１６０ｆを折り曲げる。
【００３２】
次に、孔１６０ｇの内部に発熱部２０の端部を挿入する。  
次に、図３（ａ）、（ｂ）に示すように、保持部１６０ｂ、１６０ｃを基部１６０ａ側に折り曲げて、発熱部２０の端部の近傍を押さえつける。続いて、保持部１６０ｄを保持部１６０ｂ、１６０ｃ側に折り曲げ、保持部１６０ｄと、保持部１６０ｂ、１６０ｃとを溶接する。  
この様にして、発熱部２０が接続部１６０に接続される。
【００３３】
また、インナーリード１５０の端部の近傍を基部１６０ａの面に溶接する。  
次に、図３（ａ）、（ｂ）に示すように、保持部１６０ｅ、１６０ｆを基部１６０ａ側に折り曲げて、インナーリード１５０の端部の近傍を押さえつける。  
続いて、保持部１６０ｅと保持部１６０ｆを溶接する。  
この様にして、インナーリード１５０が接続部１６０に接続される。
【００３４】
ここで、近年においては、より高電力のヒータが求められている。例えば、電力密度が４．５Ｗ（ワット）／ｍｍ（ミリメートル）以上のヒータ１とすることが好ましく、電力密度が５Ｗ／ｍｍ以上のヒータ１とすることがさらに好ましい。
【００３５】
ところが、電力密度が４．５Ｗ／ｍｍになると、接続部１６０およびインナーリード１５０の温度が４８０℃程度になる場合がある。接続部１６０およびインナーリード１５０の温度が４８０℃程度になると、インナーリード１５０と基部１６０ａを溶接している部分にクラックなどが発生し易くなる。前述したように、発熱部２０の両側の端部が接続部１６０に保持された際に、発熱部２０が引っ張られるようになっている。そのため、溶接部分にクラックが発生すると、発熱部２０により接続部１６０が引っ張られて、インナーリード１５０が接続部１６０から外れる場合がある。そのため、発熱部２０などに異常がないにもかかわらずヒータの寿命が短くなるおそれがある。
【００３６】
図４（ａ）は、本実施の形態に係る接続部６０の模式展開図である。  
図４（ｂ）は、インナーリード５０および発熱部２０を接続する前の接続部６０を例示するための模式平面図である。  
図４（ｃ）、（ｄ）は、インナーリード５０および発熱部２０を接続する前の接続部６０を例示するための模式側面図である。  
図５（ａ）は、本実施の形態に係る接続部６０と本実施の形態に係るインナーリード５０との接続を例示するための模式平面図である。  
図５（ｂ）は、本実施の形態に係る接続部６０と本実施の形態に係るインナーリード５０との接続を例示するための模式側面図である。
【００３７】
図４（ａ）に示すように、接続部６０は、基部６０ａおよび保持部６０ｂ〜６０ｆを有することができる。基部６０ａおよび保持部６０ｂ〜６０ｆは、例えば、プレス成形法などにより一体に形成することができる。
【００３８】
基部６０ａは板状を呈するものとすることができる。基部６０ａは、一方の面から突出する凸部６０ａ１を有することができる。凸部６０ａ１は、少なくとも１つ設けることができる。凸部６０ａ１は、基部６０ａの、保持部６０ｄ側の端部の近傍に設けることができる。凸部６０ａ１は、保持部６０ｃと保持部６０ｄが対峙する方向に延びる形態を有することができる。凸部６０ａ１は、例えば、プレス成形法などにより形成することができる。
【００３９】
また、基部６０ａは、厚み方向に貫通する孔６０ｈを有することができる。孔６０ｈは、基部６０ａの、凸部６０ａ１が設けられる側とは反対側の端部の近傍に設けることができる。孔６０ｈは、例えば、プレス成形法などにより形成することができる。孔６０ｈの数は、インナーリード５０の数と同じとすることができる。孔６０ｈの径寸法は、インナーリード５０の太さよりも僅かに大きくすることができる。孔６０ｈの内部には、インナーリード５０の屈曲部５０ａを挿入することができる。
【００４０】
保持部６０ｂは、基部６０ａの、凸部６０ａ１と孔６０ｈが並ぶ方向と交差する方向の端部に設けることができる。保持部６０ｃは、基部６０ａの、保持部６０ｂが設けられる側とは反対側の端部に設けることができる。保持部６０ｃは、保持部６０ｂと対峙する位置に設けることができる。保持部６０ｂ、６０ｃは、基部６０ａの、凸部６０ａ１が設けられる側の端部の近傍に設けることができる。保持部６０ｂ、６０ｃは、板状を呈し、基部６０ａの端部から突出する形態を有することができる。
【００４１】
保持部６０ｄは、保持部６０ｂと保持部６０ｃが対峙する方向と交差する方向において、基部６０ａの、凸部６０ａ１が設けられる側の端部に設けることができる。保持部６０ｄは、板状を呈し、基部６０ａの端部から突出する形態を有することができる。保持部６０ｄは、厚み方向に貫通する孔６０ｇを有することができる。孔６０ｇは、保持部６０ｄの、基部６０ａ側の端部に設けることができる。孔６０ｇの一部は、基部６０ａに設けることもできる。孔６０ｇの径寸法は、発熱部２０の端部の太さよりも僅かに大きくすることができる。孔６０ｇの内部には、発熱部２０の端部を挿入することができる。
【００４２】
また、保持部６０ｄには、少なくとも１つの凸部６０ｄ１を設けることができる。凸部６０ｄ１は、例えば、プレス成形法などにより形成することができる。凸部６０ｄ１は、保持部６０ｄの面から凸部６０ａ１が突出する方向に突出させることができる。凸部６０ｄ１は、凸部６０ａ１が延びる方向に延びる形態を有することができる。凸部６０ｄ１は、保持部６０ｄを基部６０ａ側に折り曲げた際に、凸部６０ａ１と干渉しない位置に設けることができる。
【００４３】
保持部６０ｅは、基部６０ａの、保持部６０ｂが設けられる側の端部に設けることができる。保持部６０ｆは、基部６０ａの、保持部６０ｂが設けられる側とは反対側の端部に設けることができる。保持部６０ｆは、保持部６０ｅと対峙する位置に設けることができる。保持部６０ｅ、６０ｆは、基部６０ａの、孔６０ｈが設けられる側の端部の近傍に設けることができる。保持部６０ｅ、６０ｆは、板状を呈し、基部６０ａの端部から突出する形態を有することができる。
【００４４】
接続部６０に、インナーリード５０および発熱部２０を接続する際には、まず、図４（ｂ）〜（ｄ）に示すように、基部６０ａの、凸部６０ａ１が突出する側に保持部６０ｂ〜６０ｆを折り曲げる。
【００４５】
次に、孔６０ｇの内部に発熱部２０の端部を挿入する。  
次に、図５（ａ）、（ｂ）に示すように、保持部６０ｂ、６０ｃを基部６０ａ側に折り曲げて、発熱部２０の端部の近傍を押さえつける。  
続いて、保持部６０ｄを保持部６０ｂ、６０ｃ側に折り曲げ、保持部６０ｄと、保持部６０ｂ、６０ｃとを溶接する。例えば、抵抗溶接法を用いて、保持部６０ｄと、保持部６０ｂ、６０ｃとを溶接することができる。  
この様にして、発熱部２０を接続部６０に接続することができる。
【００４６】
また、インナーリード５０の屈曲部５０ａを孔６０ｈの内部に挿入する。続いて、インナーリード５０の、導電部３０側とは反対側の端部の近傍を基部６０ａに溶接する。例えば、レーザ溶接法などを用いて、インナーリード５０の端部の近傍を基部６０ａに溶接することができる。
【００４７】
次に、図５（ａ）、（ｂ）に示すように、保持部６０ｅ、６０ｆを基部６０ａ側に折り曲げて、インナーリード５０の端部の近傍を押さえつける。続いて、保持部６０ｅと保持部６０ｆを溶接する。例えば、抵抗溶接法を用いて、保持部６０ｅと保持部６０ｆを溶接することができる。  
この様にして、インナーリード５０を接続部６０に接続することができる。
【００４８】
前述したように、電力密度が４．５Ｗ／ｍｍになると、接続部６０およびインナーリード５０の温度が４８０℃程度になる場合がある。そのため、インナーリード５０と基部６０ａを溶接している部分にクラックなどが発生し易くなる。
本実施の形態においては、インナーリード５０の屈曲部５０ａが孔６０ｈの内部に設けられている。そのため、溶接部分にクラックが発生したとしても、屈曲部５０ａが孔６０ｈの内壁に引っかかっているので、インナーリード５０が接続部６０から外れるのを抑制することができる。そのため、ヒータ１の長寿命化を図ることができる。  
本発明者の得た知見によれば、電力密度が５Ｗ／ｍｍ以上となり、接続部６０およびインナーリード５０の温度が４８０℃以上となった場合であっても、インナーリード５０が接続部６０から外れるのを抑制することができた。そのため、本実施の形態に係るヒータ１とすれば、ヒータ１の高電力化および長寿命化を図ることができる。
【００４９】
図６（ａ）は、他の実施形態に係る接続部６１の模式展開図である。  
図６（ｂ）は、インナーリード５０および発熱部２０を接続する前の接続部６１を例示するための模式平面図である。  
図６（ｃ）、（ｄ）は、インナーリード５０および発熱部２０を接続する前の接続部６１を例示するための模式側面図である。  
図６（ａ）、（ｂ）に示すように、接続部６１は、溝６１ａを有することができる。すなわち、接続部６１は、接続部６０に溝６１ａをさらに設けたものとすることができる。溝６１ａは、基部６０ａの、凸部６０ａ１が突出する側の面に開口することができる。溝６１ａは、孔６０ｈと、基部６０ａの、保持部６０ｄが設けられる側とは反対側の端面と、の間を延びるものとすることができる。溝６１ａの一方の端部は、孔６０ｈに接続することができる。溝６１ａの他方の端部は、接続部６１（基部６０ａ）の、導電部３０側の端面に開口することができる。溝６１ａの両側の側面の少なくともいずれかは、インナーリード５０に接触するようにすることができる。またさらに、溝６１ａの底面は、インナーリード５０に接触するようにすることができる。
【００５０】
溝６１ａが設けられていれば、インナーリード５０の屈曲部５０ａを孔６０ｈの内部に挿入した際に、インナーリード５０の位置が動くのを抑制することができる。そのため、保持部６０ｅ、６０ｆによりインナーリード５０を押さえつけた際に、インナーリード５０と基部６０ａとの密着性を向上させることができる。また、インナーリード５０と接続部６１（基部６０ａ）を溶接するのを省略することもできる。溶接部が無ければクラックが発生することがない。また、製造コストの低減を図ることができる。なお、インナーリード５０と接続部６１（基部６０ａ）を溶接してもよい。
【００５１】
また、以上においては、インナーリード５０が設けられる溝６１ａを例示したが、基部６０ａの面から突出する複数の凸部を設け、凸部と凸部の間にインナーリード５０を設けるようにしてもよい。
【００５２】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００５３】
１  ヒータ、１０  バルブ、１１  筒状部、１２  封止部、２０  発熱部、３０  導電部、４０  アウターリード、５０  インナーリード、５０ａ  屈曲部、６０  接続部、６０ａ  基部、６０ｂ〜６０ｆ  保持部、６０ｈ  孔、６１  接続部、６１ａ  溝
【図１】
2020191164.tif 000003
【図２】
2020191164.tif 000004
【図３】
2020191164.tif 000005
【図４】
2020191164.tif 000006
【図５】
2020191164.tif 000007
【図６】
2020191164.tif 000008